(57)【要約】      （修正有）【課題】任意の形状に変形でき、スポーツ活動時及び長時間装着時等にも頭髪へ確実に装着できる髪留め具を提供する。【解決手段】帯状の髪留め具であって、略長手方向に引き揃えられ、少なくとも接触点でシート状に接合された多条の合成樹脂製線材と、長手方向に配設される塑性変形性線材とを備える。【選択図】図１
0003162639.tif 000002
【実用新案登録請求の範囲】
【請求項１】
帯状の髪留め具であって、
略長手方向に引き揃えられ、少なくとも接触点でシート状に接合された多条の合成樹脂製線材と、
長手方向に配設される塑性変形性線材と
を備えることを特徴とする髪留め具。
【請求項２】
上記塑性変形性線材が、一方及び／又は両方の側縁部に配設されている請求項１に記載の髪留め具。
【請求項３】
上記塑性変形性線材が、多条の合成樹脂製線材からなるシート状物に巻き込まれている請求項１又は請求項２に記載の髪留め具。
【請求項４】
上記塑性変形性線材として針金が用いられている請求項１、請求項２又は請求項３に記載の髪留め具。
【考案の詳細な説明】
【技術分野】
【０００１】
本考案は髪止め具に関し、詳細には、スポーツ活動時及び長時間装着時等にも装着時の形状を保持することができる髪留め具に関するものである。
【背景技術】
【０００２】
一般に、髪を束ねたりセット時の髪型を維持するために、ヘアピン、ヘアバンド等の髪留め具が使用される。任意の髪型にセットした後、髪留め具を装着することにより、装着時の髪型を保持することができる。従来のヘアバンドを改良したものとして、装着時に痛くなく、かつ耐久性を向上させたヘアバンドが提案されている（特開平１１−９９０１２号公報等参照）。
【０００３】
また、髪留め具として、毛髪結束帯も提案されている（例えば実登２５０５５４８号公報等参照）。上記毛髪結束帯は、布更紗、網地等により形成された結束帯と、結束帯の後部に対応する箇所に設けられた毛髪挿入孔からなるものである。上記毛髪結束帯を使用する際は、額から首筋にかけて頭部側面を覆い、毛髪挿入孔に毛髪を挿入する。上記毛髪結束帯は、髪型を頭部にしっかりと保持できるため、スポーツ活動時等も髪留め具がずれることなく、軽快な服装感を発揮することができる。
【０００４】
しかし、上記毛髪結束帯は頭髪及び皮膚を押さえる部分が布地等で形成されるため、伸縮性や変形の任意性等は有しない。そのため頭のサイズに対して小さめの毛髪結束帯を使用しない限り、スポーツ活動時等に毛髪結束帯がずれる場合がある。また、安価でより簡易な構造の髪留め具が求められている。
【先行技術文献】
【特許文献】
【０００５】
【特許文献１】特開平１１−９９０１２号公報
【特許文献２】実登第２５０５５４８号公報
【考案の概要】
【考案が解決しようとする課題】
【０００６】
本考案はこれらの不都合に鑑みてなされたものであり、任意の形状に変形でき、スポーツ活動時及び長時間装着時等にも頭髪へ確実に装着できる髪留め具の提供を目的とするものである。
【課題を解決するための手段】
【０００７】
上記課題を解決するためになされた考案は、
帯状の髪留め具であって、
略長手方向に引き揃えられ、少なくとも接触点でシート状に接合された多条の合成樹脂製線材と、
長手方向に配設される塑性変形性線材と
を備えることを特徴とする髪留め具である。
【０００８】
当該髪留め具は略長手方向に配設された塑性変形性線材を備えるため、長手方向にきつく締めることなく、使用者の頭部の形状に合わせて変形させて使用することができる。そして、塑性変形性線材を長手方向に配されているので、上記の使用状態を確実に維持できる。このため、当該髪留め具は、より自然な装着感を長時間にわたり発揮することができる。
【０００９】
また、多条の合成樹脂製線材は少なくとも接触点でシート状に接合されているため、当該髪留め具の合成樹脂製線材は不用意に解けることがなく、このため、より簡易な構成により、髪留め具を構成することができる。
【００１０】
上記塑性変形性線材が、一方及び／又は両方の側縁部に配設されているとよい。この構成により、当該髪留め具の変形の任意性が向上し、頭髪への装着が容易かつ確実になる。
【００１１】
上記塑性変形性線材が、多条の合成樹脂製線材からなるシート状物に巻き込まれているとよい。この構成により、上記塑性変形性線材が合成樹脂製線材に被覆され、上記塑性変形性線材の視認性を低減することができる。
【００１２】
上記塑性変形性線材として針金が用いられているとよい。針金は塑性変形性が大きく、かつ廉価であるため、当該髪留め具は塑性変形性をさらに向上させつつ安価に形成することができる。
【００１３】
なお本明細書において、塑性変形性とは、外力を加えると変形し、力を取り去っても元に戻らず外力が加えられない限りその形態を維持する性質をいう。
【考案の効果】
【００１４】
以上説明したように、本考案の髪留め具によれば、任意の形状に変形でき、スポーツ活動時及び長時間装着時等にも頭髪へ確実に装着できる。
【図面の簡単な説明】
【００１５】
【図１】本考案の一実施形態に係る髪留め具を示す斜視図であって、帯状部材の一部を切り欠いた概略的説明図である。
【考案を実施するための形態】
【００１６】
以下、適時図面を参照しつつ、本考案の実施の形態を詳説する。
【００１７】
（実施形態１）
図１の斜視図で示される髪留め具１は、全体として帯状に形成されたものであり、シート状の帯状部材２と、この帯状部材２の長手方向に配設された塑性変形性線材３とを主に備える。
【００１８】
なお、当該髪留め具１のサイズは特に限定されず、例えば長手方向の長さを６０ｃｍ、短手方向の長さを４ｃｍとすることができる。当該髪留め具１の厚みは０．０１ｍｍ以上１ｃｍ以下が好ましく、０．０３ｍｍ以上８ｍｍ以下がより好ましく、０．０５ｍｍ以上５ｍｍ以下が特に好ましい。当該髪留め具１の厚みをこの範囲内にすることで、当該髪留め具１は、スポーツ活動時及び長時間装着時等にも着用者に負担にならない重量となるため、自然な装用感を発揮することができる。
【００１９】
上記帯状部材２は、多条の合成樹脂製線材５が略長手方向に引き揃えられ、少なくとも接触点でシート状に接合されたシート状物からなる。具体的には、多条の合成樹脂製線材５が長手方向に沿って互いに若干の傾斜を有しつつ配置されて、この合成樹脂製線材５同士が接触する接触点において合成樹脂製線材５同士が接着されて、全体としてシート状の帯状部材２が構成されている。この帯状部材２の一端部と他端部とは、例えば互いに結び合わせることにより、当該髪留め具１は頭髪へ装着することができる。また、多条の合成樹脂製線材５は少なくとも接触点でシート状に接合されているため、当該髪留め具１の帯状部材２は不用意に解けることがなく、このため、より簡易な構成により、当該髪留め具１を構成することができる。なお、この帯状部材２は略長手方向に引き揃えられた当該合成樹脂製線材５が接触点で接合された形態からなるので、合成樹脂製線材５同士の接合箇所がランダムとなり、合成樹脂製線材５同士が長手方向及び幅方向に隙間をもって接合されることになり、このため、長手方向及び幅方向に伸縮性を有する。
【００２０】
上記合成樹脂製線材５として、例えばポリエチレン、ポリエチレンテレフタラート、ポリ塩化ビニル、ポリ塩化ビニリデン、ポリ乳酸、ポリプロピレン、ポリアミド、ポリカーボネート、ポリテトラフルオロエチレン、ポリウレタン、ポリスチレン、ポリエステル、ＡＢＳ樹脂、アクリル樹脂、ポリアセタール樹脂等が挙げられ、中でもポリエチレンテレフタラートを使用することが好ましい。ポリエチレンテレフタラートは軽量で強度が高いため、装着時の髪型のまま髪の毛をより長時間固定することができる。また、ポリエチレンテレフタラートは耐熱性が高いため、当該髪留め具１を乾燥機等にて乾燥することができる。
【００２１】
上記合成樹脂製線材５の線径は特に限定されないが、０．０５ｍｍ以上０．１５ｍｍ以下が好ましい。上記合成樹脂製線材５の色も特に限定されず、例えば赤、青、黄、緑、紫、茶、橙、黒、白、金、銀等が挙げられる。中でも、黒、白、茶、金等、着用者の頭髪と同じ色が好ましい。上記合成樹脂製線材５を頭髪に近い線径及び色とすることで、当該髪留め具１は髪になじんだ自然な外観とすることができる。
【００２２】
上記塑性変形性線材３は、上記帯状部材２の長手方向に配設されている。このように長手方向に塑性変形性線材３が配設されているため、長手方向にきつく締めることなく、使用者の頭部の形状に合わせて変形させて使用することができる。そして、塑性変形性線材を長手方向に配設されているため、上記の使用状態を確実に維持できる。このため、当該髪留め具は、より自然な装着感を長時間にわたり発揮することができる。
【００２３】
上記塑性変形性線材３は、帯状部材２の一方の側縁部４に巻き込まれた状態で帯状部材２に取り付けられている。具体的には、側縁部４が針金３に巻回され、針金３の両端部が側縁部４を構成する合成樹脂製線材５とともに縫着されている。また、針金３の中途部分において、側縁部４を構成する合成樹脂製線材５が巻回された状態で接着されており、これにより、側縁部４に巻き込まれた状態で帯状部材２に固定されている。また、このように塑性変形性線材３は合成樹脂製線材５からなる側縁部４に巻き込まれているため、上記塑性変形性線材が、合成樹脂製線材５に被覆され、塑性変形性線材３の視認性を低減することができる。また、帯状部材２の一方の側縁部４に塑性変形性線材３が配設されているため、髪留め具１の変形の任意性が向上し、頭髪への装着が容易かつ確実になる。なお、上記塑性変形性線材３を、上記帯状部材２の両方の側縁部に配設することもできる。
【００２４】
上記塑性変形性線材３の長さは特に制限されないが、上記帯状部材２の長手方向の長さの０．７倍以上１．０倍以下であることが好ましい。上記塑性変形性線材３の長さがこの範囲にあることにより、頭髪への装着の邪魔にならず、当該髪留め具１の変形の任意性を確保することができる。上記塑性変形性線材３の線径は特に制限されないが、直径が０．５ｍｍ以上５ｍｍ以下であることが好ましい。この線径とすることで、変形の任意性を確保しつつ、塑性変形性線材３の視認性を低減することができる。
【００２５】
上記塑性変形性線材３の素材としては、例えば金属製の針金、合成樹脂、ゴム等が挙げられ、中でも金属製の針金が好ましい。針金は塑性変形性が大きく、かつ廉価であるため当該髪留め具は塑性変形性をさらに向上させつつ安価に形成することができる。上記針金の素材としては、鉄、鋼、銅、アルミ、真鍮、形状記憶合金等が挙げられ、中でも鋼及び形状記憶合金が特に好ましい。安価で塑性が高い鋼を用いることで、当該髪留め具は、塑性変形性をさらに向上させつつより安価に形成することができる。形状記憶合金を用いることで、常温で塑性変形性を有し、加熱すると元の形状に戻るため、当該髪留め具の使用後に元の形状に容易に戻すことができる。
【００２６】
なお、上記塑性変形性線材３は、単一の素材で形成することもできるし、複数種の素材を組み合わせることにより形成することもできる。
【００２７】
上記塑性変形性線材３の色は特に限定されないが、上記合成樹脂製線材５の色と同じであることが好ましい。この構成とすることで、上記塑性変形性線材３の視認性をさらに低減することができる。
【００２８】
また、上記塑性変形性線材３は、上記側縁部４中に一個配設されていてもよいし、複数個配設されていてもよい。
【００２９】
（使用方法）
次に、当該髪留め具１の使用方法について詳説する。
【００３０】
当該髪留め具１は、例えば上記帯状部材２の一端部及び他端部を互いに結ぶことにより、毛髪を固定することができる。当該髪留め具１のうち結び目より先端側の部分は、蝶結びを行う等により装飾のために用いることができる。
【００３１】
当該髪留め具１は上記帯状部材２の長手方向に上記塑性変形性線材３を備えるため、着用者の頭の形に合わせて形状を固定することができる。すなわち、上記帯状部材２をきつく締めなくても、頭の形に合わせて当該髪留め具１を形成することができる。また、運動時及び長時間装着時等、上記帯状部材２の結び方が緩んだときも、長手方向に配設された塑性変形性線材３によって当該髪留め具１がずれることなく連続して装用し続けることができる。
【００３２】
なお、当該髪留め具１は、上記帯状部材２を巻き取り丸めた状態で保管することができる。
【００３３】
本考案の髪留め具は上記の実施形態に限定されるものではない。例えば、上記帯状部材の長手方向の一端側及び他端側を互いに係止される係止手段を設けて、この係止手段同士を係合することにより髪止め具を環状にして使用することもできる。また、上記帯状部材の長手方向の一端側及び他端側を結合して環状に設けることもできる。また、上記合成樹脂製線材を吸水性を有する素材とすることで、当該髪留め具が汗止め機能を備えることもできる。
【産業上の利用可能性】
【００３４】
以上のように、本考案の髪留め具によれば、任意の形状に変形でき、スポーツ活動時及び長時間装着時等にも頭髪へ確実に装着できる髪留め具として好適に用いられる。
【符号の説明】
【００３５】
１  髪留め具
２  帯状部材
３  塑性変形性線材
４  側縁部
５  合成樹脂製線材
【図１】
0003162639.tif 000003